(57)【要約】【課題】読影効率の良い医用画像処理システムを提供すること。【解決手段】実施形態の医用画像診断システムは、医用画像の画像処理を実行し、前記画像処理の実行画面をクライアント端末へ転送するアプリケーション実行部と、前記クライアント端末の操作入力情報を検知し、前記操作入力情報が予め定義された条件を満たす場合に、前記医用画像から簡易画像を生成する簡易画像保存判断部と、前記簡易画像、および前記簡易画像の生成元となる医用画像を識別する簡易画像識別情報を前記クライアント端末へ明示的にあるいはバックグランドで転送する簡易画像転送部と、を有する医用アプリケーションサーバを備える。【選択図】図２
2013176511.tif 000002
【特許請求の範囲】
【請求項１】
医用画像の画像処理を実行し、前記画像処理の実行画面をクライアント端末へ転送するアプリケーション実行部と、
前記クライアント端末の操作入力情報を検知し、前記操作入力情報が予め定義された条件を満たす場合に、前記医用画像から簡易画像を生成する簡易画像保存判断部と、
前記簡易画像、および前記簡易画像の生成元となる医用画像を識別する簡易画像識別情報を前記クライアント端末へ明示的にあるいはバックグランドで転送する簡易画像転送部と、
を有する医用アプリケーションサーバを備える医用画像診断システム。
【請求項２】
前記クライアント端末内に、前記簡易画像および簡易画像識別情報を取得する簡易画像取得部と、
前記簡易画像および簡易画像識別情報を記憶する簡易診断データベースと
を有する請求項１記載の医用画像診断システム。
【請求項３】
前記クライアント端末の管理診断データベースは、前記簡易画像および簡易画像識別情報を含むファイル管理を、複数階層のフォルダで管理可能に構成され、前記簡易画像は、前記クライアント端末で動作するＯＳ標準形式の非ＤＩＣＯＭ画像フォーマットで記憶される請求項２記載の医用画像診断システム。
【請求項４】
前記フォルダのフォルダ名は、患者の識別情報、検査日時、および撮影装置の種類の少なくとも１つの情報に基づいて決定される請求項３記載の医用画像診断システム。
【請求項５】
前記簡易画像保存判断部は、画像診断ワークフローを実行するワークフロー実行部と、
前記操作入力情報に関連付けられた簡易画像の生成条件および保存形式を設定する保存条件設定部と、
前記操作入力情報を検知し、前記簡易画像の生成条件を満足するかどうかを判断する保存条件判断部を有する請求項１から４のいずれかに記載の医用画像診断システム。
【請求項６】
前記医用アプリケーションサーバ内に、
前記クライアント端末上で前記簡易画像を用いて行われた簡易診断情報の有無を、ネットワークの復旧時に確認する簡易診断情報確認部と、
前記簡易診断情報が前記クライアント端末上に存在する場合に、前記簡易診断情報を取得する簡易診断情報取得部と、
をさらに備える請求項３記載の医用画像診断システム。
【請求項７】
前記クライアント端末内に、
前記簡易診断情報を前記簡易画像、および前記簡易画像識別情報に関連付けて管理する簡易診断情報管理部と、
をさらに備える請求項４記載の医用画像診断システム。
【請求項８】
前記画像診断ワークフローのレポート作成に、前記簡易診断情報の参照を可能にする請求項５記載の医用画像診断システム。
【発明の詳細な説明】
【技術分野】
【０００１】
本発明の実施形態は、医用画像の読影などに使用する医用画像診断システムに関する。
【背景技術】
【０００２】
近年、ＣＴ（Computed Tomography）やＭＲI（Magnetic Resonance Imaging）等の医用画像撮像装置で生成される画像データは高精細大容量であり、かつ検査数の増加から処理すべき画像データ量は膨大になっている。読影医は医用画像撮像装置で生成された医用画像をそのまま見て読影するだけでなく、ネットワークに接続されたアプリケーションサーバの高機能な医用画像処理アプリケーションを用いて、新たな医用画像を生成し病巣部の読影・診断を行うことができる。
【０００３】
近年このようなアプリケーションサーバの性能向上により、これに搭載された医用画像処理アプリケーションをネットワークに接続された端末から利用するシンクライアントシステムの運用が普及されてきた。また、ＣＴやＭＲI等の医用画像撮像装置自体に医用画像処理アプリケーションを搭載し、アプリケーションサーバとして運用することも可能となっている。
【０００４】
アプリケーションサーバを用いたシステムは、アプリケーションやデータの一元管理が可能であるから、クライアント端末の処理能力は余り高くないもので良く、消費電力が低く、軽量、静音で、病院内の環境に適した端末を使用することができる。しかし、外出先などでネットワークに接続できない環境では、全く使用することができないという問題点がある。
【０００５】
最近、公衆回線などのモバイル通信環境が徐々に整備されつつあるが、外出先（院外、移動中）などではアプリケーションサーバを利用することができず画像診断やデモンストレーション等が行えなくなってしまう場合があった。
【０００６】
特に、訪問診療や学会などで外出することが多い医療関係者にとって移動中のわずかな時間でも画像診断に割きたいという要望があり、いつでも・どこでも画像診断が行えることが望まれている。従って、ネットワークがオフライン時においても画像診断が行える必要がある。
【０００７】
ネットワークがオフラインにおいても画像データを閲覧するための技術として、あらかじめサーバ装置から画像データをダウンロードしておくものがある（特許文献１参照）。
【先行技術文献】
【特許文献】
【０００８】
【特許文献１】特開２００９−２４６７５８号公報
【発明の概要】
【発明が解決しようとする課題】
【０００９】
本発明が解決しようとする課題は、上記問題を解決し、読影効率の良い医用画像診断システムを提供することである。
【課題を解決するための手段】
【００１０】
上記課題を達成するために、実施形態の医用画像診断システムは、医用画像の画像処理を実行し、前記画像処理の実行画面をクライアント端末へ転送するアプリケーション実行部と、前記クライアント端末の操作入力情報を検知し、前記操作入力情報が予め定義された条件を満たす場合に、前記医用画像から簡易画像を生成する簡易画像保存判断部と、前記簡易画像、および前記簡易画像の生成元となる医用画像を識別する簡易画像識別情報を前記クライアント端末へ明示的にあるいはバックグランドで転送する簡易画像転送部と、を有する医用アプリケーションサーバを備える。
【図面の簡単な説明】
【００１１】
【図１】本実施形態における医用画像診断システムのネットワーク構成図。
【図２】第１の実施形態における医用画像診断システムのブロック構成図。
【図３】同実施形態における医用画像診断システムの医用アプリケーションサーバ側の動作を説明するフローチャート。
【図４】同実施形態における医用画像診断システムのオフライン時でのクライアント端末側の動作を説明するフローチャート。
【図５】同実施形態における簡易画像保存制御部のブロック構成図。
【図６】第２の実施形態における画像診断ワークフローの例。
【図７】同実施形態における保存条件設定部のブロック構成図。
【図８】同実施形態における簡易画像の保存処理をアプリケーションサーバ側で行う場合の処理の流れを説明する図。
【図９】同実施形態における簡易画像の手動保存をクライアント端末側で行う場合の処理の流れを説明する図。
【図１０】同実施形態におけるクライアント端末側に保存される簡易画像のディレクトリ構造図。
【図１１】第３の実施形態における医用画像診断システムのブロック構成図。
【図１２】同実施形態におけるオンライン復旧時の処理を説明する図。
【図１３】同実施形態における簡易診断画像をワークフローのレポート作成フローに反映させるための処理の流れを説明する図。
【発明を実施するための形態】
【００１２】
以下、発明を実施するための実施形態について図１から図１３に示す図面を参照しながら詳細に説明する。
【００１３】
本実施形態の医用画像処理システムは、ＨＩＳ（Hospital Information System）、ＲＩＳ（Radiology Information System）、ＰＡＣＳ（Picture Archiving and Communication Systems)などのシステムと連携して構築することが可能であり、既存のシステムとの整合性が容易に得られる。
【００１４】
（第１の実施形態）
図１に示すように、本実施形態が適用される医用画像処理システムは、超音波診断装置、ＣＴ（Computed Tomography）装置、ＭＲＩ（Magnetic Resonance Imaging）装置などの複数の医用画像撮像装置１１Ａ、１１Ｂ、…１１Ｋと、これらの医用画像撮像装置１１（複数接続される医用画像撮像装置を代表する）で撮影された医用画像データを保存する医用画像サーバ１２、および病院内情報システム（ＨＩＳ）１３が接続されたネットワーク１４上に構築され、読影医がログインする複数のクライアント端末１５Ａ、１５Ｂ、…１５Ｎと画像処理を一元的に行う医用アプリケーションサーバ１６を有する。
【００１５】
医用アプリケーションサーバ１６とクライアント端末１５Ａ、１５Ｂ、…１５Ｎはシンクライアントシステムを形成する。シンクライアントとは、クライアント端末１５（複数接続されるクライアント端末を代表する）に必要最小限の処理をさせ、画像処理を含む大部分の処理を医用アプリケーションサーバ１６側に集中させたシステムである。従って、読影医は、医用アプリケーションサーバ１６で処理された画面出力に対してクライアント端末１５からマウス・キーボード入力を行い、画像診断を行うことができる。
【００１６】
医用アプリケーションサーバ１６はクライアント端末１５へログインした読影医の操作入力情報に応じて種々の画像処理を行い、その処理した結果の医用画像をクライアント端末１５へ送信して表示させる。画像処理は、例えば３次元のレンダリング処理、画像中の医学的異常を検出するＣＡＤ（computer-aided diagnosis）処理、画像計測処理、心臓等の機能解析処理などである。
【００１７】
次に、本実施形態の医用画像診断システムのブロック構成について図２を用いて説明する。医用アプリケーションサーバ１６と、ネットワーク１４を介して接続されるクライアント端末１５の一つとの関係を示している。
【００１８】
医用アプリケーションサーバ１６は、ＰＡＣＳなどの医用画像サーバ１２、または直接ＣＴ装置などの医用画像撮像装置１１から医用画像を取得しＤＩＣＯＭ（Digital Imaging and COmmunication in Medicine）フォーマットで保存する医用画像データベース（ＤＢ）１６１、クライアント端末１５にログインした読影医の操作入力情報に従ってアプリケーションを実行するアプリケーション実行部１６２、ログインした読影医の操作入力状況・診断進捗状況などを検知し、現在実行中の医用画像から簡易画像を生成、保存を行うかどうかを判断する簡易画像保存判断部１６３、および簡易画像を明示的またはバックグランドでクライアント端末１５に転送する簡易画像転送部１６４を有する。
【００１９】
また、クライアント端末１５のそれぞれは、ログインする読影医が診断を行うためのマウス・キーボードなどのユーザインタフェースが接続される操作部１５１、アプリケーション実行部１６２で実行されるアプリケーション実行画面を取得するアプリケーション画面取得部１５２、アプリケーション実行画面をモニタに表示する表示部１５３、簡易画像転送部１６４から転送される簡易画像を取得する簡易画像取得部１５４、簡易画像および簡易診断後の簡易診断情報などを保存する簡易診断データベース（ＤＢ）１５５、および、簡易診断を行うため簡易診断ＤＢ１５５に保存されている簡易画像の読み出しや、簡易診断の際に行うマーキングやコメント作成、および簡易診断情報を保存する処理などを、クライアント端末１５のＯＳ（Operating System）に標準で搭載される標準アプリケーションを用いて実行するための標準アプリケーション実行部１５６を有する。実線矢印で示すデータ処理は、医用アプリケーションサーバ１６を利用する医用画像診断システムのうち従来からのシンクライアント機能を示し、点線矢印は本実施形態で追加される機能を示している。
【００２０】
以上の構成による医用画像診断システムの動作を説明する。図３は医用アプリケーションサーバ１６側での動作を説明するフローチャートであり、図４はオフライン時にクライアント端末１５側の動作を説明するフローチャートである。
【００２１】
図３に示すように、ステップＳＴ３０１では、院内のようにネットワークが接続可能な状態（オンライン）であれば、読影医はクライアント端末１５から医用アプリケーションサーバ１６にログインし画像診断を開始する。
【００２２】
ステップＳＴ３０２では、読影医は、医用画像ＤＢ１６１、医用画像サーバ１２、または医用画像撮像装置１１からＤＩＣＯＭフォーマットで保存されている医用画像を取得する。そして、クライアント端末１５の操作部１５１に接続されるマウス、キーボードなどを操作して医用画像処理または医用診断アプリケーションなどをアプリケーション実行部１６２で実行させる。
【００２３】
ステップＳＴ３０３に示すように、画像診断アプリケーションや画像処理アプリケーションは医用アプリケーションサーバ１６上で動作し、画面情報のみが図２の実線矢印のようにクライアント端末１５に転送される。
【００２４】
一方、ステップＳＴ３０４では読影医による画像診断に並行し、簡易画像保存判断部１６３でマウス、キーボードなどの操作入力情報を検知し、所定の条件に一致した場合に簡易画像を生成し、クライアント端末１５に転送するかどうかを判断するステップＳＴ３０５に進む。
【００２５】
なお、ここで簡易画像とはＤＩＣＯＭ形式の医用画像と区別するため、クライアント端末１５で行われる簡易診断の際に使用する静止画、動画の形態を含む医用画像のことを言う。またクライアント端末１５で診断が可能とするため、汎用の保存形式が選択されるが、診断ミスなどを防止するため十分高画質である必要がある。従って簡易画像は、原則として圧縮などの画像処理をするものではなく、画像診断の根拠となる部分の画像をクライアント端末１５で編集可能な保存形式で切り出して転送するものである。
【００２６】
ステップＳＴ３０５では、読影医による画像診断において、マウスなどのユーザインタフェースの操作入力情報が予め指定しておいた所定の簡易画像保存条件に一致するかどうかを判断する。簡易画像の保存条件に一致したと判断されれば（ステップＳＴ３０５：Ｙｅｓ）、所定の画面が静止画または動画の標準形式で生成され、クライアント端末１５に明示的、またはバックグランドで転送される（ステップＳＴ３０６）。また、簡易画像の保存条件に一致しなければ（ステップＳＴ３０５：Ｎｏ）、ステップＳＴ３０４に戻り、操作入力情報の検知を継続する。
【００２７】
クライアント端末１５では、ステップＳＴ４０１において、ネットワークと接続できているかどうかを判断し、ネットワークと接続できない（オフライン）場合には、簡易診断ＤＢ１５５にアクセスして簡易診断を開始する（ステップＳＴ４０２）。なお、簡易画像ＤＢ１５５のフォルダ形式は、クライアント端末１５に搭載されるＯＳのフォルダエクスプローラでアクセス可能であり、フォルダ内の簡易画像のアイコンをクリックすることでファイルを開くことが可能である。
【００２８】
ステップＳＴ４０３では、簡易画像のファイルを開いて診断を行う。医用アプリケーションサーバ１６で生成・転送された簡易画像は、クライアント端末１５での診断が可能とするためＯＳ汎用のアプリケーション、例えばＷｉｎｄｏｗｓ（登録商標）であれば、ペイントなどの標準アプリケーションで閲覧・編集が可能である。
【００２９】
クライアント端末１５でオフライン時に行う簡易診断は、簡易画像を開いた標準アプリケーション上で行われ、簡易画像上にマーキングやコメントが追加されて上書き保存される。また、診断コメントなども簡易画像上に直接書き込んでも良いし、別途テキストファイルなどを作成してもよい。
【００３０】
ステップＳＴ４０４では、クライアント端末１５がオンラインかどうかを継続して判断を行う。使用しているクライアント端末１５がオンラインとなれば（ステップＳＴ４０４：Ｙｅｓ）、医用アプリケーションサーバ１６側に簡易画像診断情報をアップロードする。このアップロードした簡易画像診断情報は画像診断レポートに反映するが、これについては後述する。使用しているクライアント端末１５がオンラインのままであれば、ステップＳＴ４０４を継続する。
【００３１】
従って第１の実施形態によれば、院内などのネットワークが接続可能な場所で、医用アプリケーションサーバ１６を用いて画像診断を行った画像については、クライアント端末１５上に簡易診断に必要な簡易画像が転送されている。このため、ネットワークが接続されない場所に移動しても診断を継続して行うことができる。
【００３２】
さらに、転送される簡易画像は、クライアント端末１５に予め搭載されている標準的なアプリケーションにて閲覧・編集することができるため、クライアント端末１５上に画像処理用の高機能なアプリケーションが実装されている必要がない。従ってシンクライアント端末としての利点（低価格、低消費電力、軽量、静音性など）を損なうことなく機能の向上が得られるという効果を奏する。
【００３３】
（第２の実施形態）
本実施形態では、読影医が画像診断ワークフローに基づいて画像診断を行う場合について具体的に説明する。まず、簡易画像保存判断部１６３の構成につき図５を参照して説明する。
【００３４】
簡易画像保存判断部１６３は、画像診断ワークフローを実行するワークフロー実行部５１と、簡易画像を生成しクライアント端末１５に保存する条件が設定される保存条件設定部５２と、画像診断ワークフローの進捗情報や、画像診断時の医用画像の拡大、縮小、回転、およびフレームアウト更新などの操作入力情報を検知し、保存条件設定部５２に設定された簡易画像の保存条件を満足した場合に、簡易画像を生成する命令を出力する保存条件判定部５３を有している。
【００３５】
図６に画像診断ワークフローの例を示している。画像診断ワークフローは、質の向上、効率化の観点から診断内容（臨床アプリケーション）別に確立されており多様化されているが、ここでは、一般的な例について説明する。
【００３６】
画像診断ワークフローは大きく分けて、医用画像ＤＢ１６１などから診断すべき医用画像を選択するため画像リスト一覧を表示させるステップＳＴ６０１、選択された医用画像の全体像を表示させるステップＳＴ６０２、画像診断を開始するステップＳＴ６０３、および画像診断後にレポートを作成するステップＳＴ６０４で構成される。
【００３７】
画像診断を開始するステップＳＴ６０３では、診断に必要な部位の画像を全体像から抽出するために、全体像を拡大（縮小）、回転、輝度調整などを行いながら病巣部のスクリーニングを行う。この時、３Ｄ、ＭＰＲ(multi planar reformation)画像の静止画像によりスクリーニングを行うステップＳＴ６０５、フライスルーや、時相画像（４Ｄ表示）などの動画を用いて病巣部のスクリーニングを行うステップＳＴ６０６などがある。
【００３８】
図７は、保存条件設定部５２で設定される操作入力情報と簡易画像の保存形式の例を示している。この例では、画像表示のフレームレイアウトを変更した場合、拡大・縮小、回転、輝度変換などのユーザインタフェース操作入力情報を検知し、ＢＭＰや、ＪＰＥＧなどの静止画保存形式に変換して保存するように設定されている。また、フライスルーや時相画像（４Ｄ表示）を表示させている場合には、Ｑｕｉｃｋ  Ｔｉｍｅ、ＷＭＶ（Windows Media Video）、ＡＶＩ（Audio Video Interleave）形式などに変換して保存されるように設定されている。このような保存条件は、コンフィグファイル７１として予め保存され、保存条件判定部５３が読み込んで簡易画像の生成、保存の判断に使用する。
【００３９】
図８は、簡易画像の保存処理を医用アプリケーションサーバ１６側で行う場合の処理の流れを示している。医用アプリケーションサーバ１６側で行う簡易画像の保存処理は、ステップＳＴ８０１で示す自動保存処理と、ステップＳＴ８０２で示す手動保存処理に分けられる。
【００４０】
ステップＳＴ８０１の自動保存処理では、保存条件設定部５２のコンフィグファイル７１を保存条件判定部５３で読み込み、操作入力情報がコンフィグファイル７１の条件と一致するかどうかの判定を行う（ステップＳＴ８０３）。
【００４１】
ステップＳＴ８０２の手動保存では、クライアント端末１５に接続されているマウス・キーボードから明示的に簡易画像を保存するように要求する。
【００４２】
ステップＳＴ８０４では、コンフィグファイル７１に記載された保存形式で静止画または動画の形式で簡易画像を生成し、クライアント端末１５の簡易画像取得部１５４に転送する（ステップＳＴ８０５）。
【００４３】
図９は、簡易画像の手動保存をクライアント端末１５側で行う場合の処理の流れを示している。医用アプリケーションサーバ１６は、アプリケーション実行画面をアプリケーション画面取得部１５２に転送させているため、表示部１５３上に表示される画像の必要部分をコピーまたは切り取り、簡易画像取得部１５４を経由して簡易診断ＤＢ１５５に保存する。画面のコピーまたは切り取りなどの処理は、例えばＯＳに搭載されている標準的なスニッピングツールなどを使用することができる。
【００４４】
図１０は、クライアント端末１５の簡易診断ＤＢ１５５に保存される簡易診断フォルダのディレクトリ構造を示している。この例では簡易診断ＤＢ１５５のフォルダ管理は簡易画像取得部１５４で行うものとして仮定する。
【００４５】
簡易画像取得部１５４は、簡易診断ＤＢ１５５内に簡易診断情報を一意に識別可能な、例えば「レポート１」という名前の簡易診断フォルダ内に、医用画像ＩＤとの関連付けを示す簡易画像ＩＤファイル、簡易診断画像、および診断メモなどがセットとなって保存される。簡易画像フォルダはクライアント端末１５に搭載されている汎用のフォルダエクスプローラで閲覧可能である。
【００４６】
ここで簡易画像ＩＤとは、簡易画像自身と、この簡易画像を生成する元となった医用画像ＤＢ１６１、医用画像サーバ１２、および医用画像撮像装置１１上の医用画像ＩＤとの関連付けを表すもので、簡易画像の取得時に医用アプリケーションサーバ１６から簡易画像の取得と同時に取得する。
【００４７】
また、簡易診断画像とは、簡易診断前では、医用アプリケーションサーバ１６側から転送された簡易画像自体を示しているが、簡易診断後には、簡易診断画像上にマーキングやコメントなどが記され、簡易画像ファイルを上書き保存したものである。
【００４８】
また、診断メモ等は、例えばテキストエディタなどで記載されたテキストファイルである。その他、簡易診断に必要なファイル形式は、クライアント端末１５に標準に搭載されたアプリケーションを使用したものであれば特に保存形式（フォーマット）は問わない。
【００４９】
すなわち、簡易画像診断ＤＢ１５５内に記憶される簡易画像などの簡易診断情報は、ＯＳの標準フォーマットで記憶され、非ＤＩＣＯＭ形式のフォーマットであることが好ましい。
【００５０】
なお、簡易診断フォルダ名は簡易診断情報を一意に識別可能な名前であればよいため、「レポート１」の他には「患者名」、「検査オーダ番号」などの患者識別情報や、検査日時、撮影装置の種別などを使用することが考えられる。
【００５１】
また、簡易診断フォルダ内には、簡易診断日や簡易診断を特定できるＩＤが記されたファイルなどを付加してもよいし、簡易診断を複数日にわたって行う場合には、簡易診断日毎にフォルダの階層を増やすなど、複数階層のフォルダ管理を行ってもよい。
【００５２】
以上述べたように、第２の実施形態によれば、読影医が画像診断ワークフローに基づいて画像診断を行う場合、各種画像診断ワークフローに基づいた簡易画像が自動的に生成されクライアント端末１５に転送される。しかも、クライアント端末１５に保存される簡易診断のフォルダ管理は、クライアント端末１５に標準的に搭載されているフォルダエクスプローラで管理可能である。さらに簡易画像はクライアント端末に標準的に搭載されているアプリケーションを用いて閲覧・編集が可能であるから、高機能なアプリケーションを実装しなくとも画像診断を容易に行うことができる。
【００５３】
（第３の実施形態）
本実施形態では、ネットワークがオフラインからオンラインになった場合について説明する。さらに、オフラインに行った簡易診断を画像診断ワークフローのレポート作成に反映する方法について説明する。図１１は、第３の実施形態における医用画像診断システムのブロック構成図を示している。
【００５４】
図２に示すブロック構成図に加え、本実施形態の医用アプリケーションサーバ１６には、オンライン時にクライアント端末１５に対して、オフライン時に行った簡易診断情報があるかどうかを確認する簡易診断情報確認部１６５と、簡易診断情報をクライアント端末１５から取得する簡易診断情報取得部１６６が追加されている。
【００５５】
またクライアント端末１５には、簡易診断情報を管理する簡易診断管理部１５７と、医用アプリケーションサーバ１６からの要求に従い、簡易診断情報をアップロードする簡易診断情報転送部１５８が付加される。
【００５６】
簡易診断管理部１５７は、簡易診断情報を簡易画像や簡易画像ＩＤに関連付けて管理し、簡易診断情報を検索する。そして簡易診断情報転送部１５８は、簡易診断情報確認部１６５の要求に基づき、簡易診断情報を簡易診断情報取得部１６６にアップロードする。
【００５７】
図１２を用いてオンライン復旧時の処理について説明する。ステップＳＴ１２１では、簡易診断情報確認部１６５から簡易診断管理部１５７に簡易診断情報の有無を確認する。簡易診断情報がある場合には、ステップＳＴ１２２において、簡易診断情報確認部１６５から簡易診断管理部１５７に簡易診断情報の取得要求を送出する。
【００５８】
ステップＳＴ１２３では、簡易診断情報の取得要求に基づき、簡易診断情報を簡易診断ＤＢ１５５から読み出し、簡易診断情報転送部１５８から簡易診断情報取得部１６６に送出する。
【００５９】
図１３では、簡易診断情報取得部１６６で取得した簡易診断情報を画像診断ワークフローに反映する処理の流れを示している。ここでは、画像診断ワークフローに従って画像診断を行っている途中で一旦画像診断を中断し、画像診断を再開する場合の処理について説明する。ステップＳＴ１３１では、画像診断ワークフローを再開するために、診断すべき医用画像を選択し、画像診断を継続する（ステップＳＴ１３２）。一方、画像ワークフローが再開されたことを検出して、簡易診断情報確認部１６５は、簡易診断管理部１５７に簡易診断情報の有無を確認する（ステップＳＴ１３３）。
【００６０】
簡易診断情報があれば、簡易診断情報をクライアント端末１５から取得し（ステップＳＴ１３４）、画像診断ワークフローのレポート作成に反映できるよう簡易画像保存判断部１６３に簡易診断情報を一旦保存する。
【００６１】
ステップＳＴ１３５のレポート作成では、簡易診断情報を参考資料としてもよいし、正式な診断レポートとしてもよい。作成された画像診断レポートは医用画像ＤＢ１６１に保存される。
【００６２】
以上述べたように、第３の実施形態によれば、オフライン時にクライアント端末で行った簡易診断情報を、画像診断ワークフローに取り込むことが可能であるため、診断レポートとして活用が可能である。
【００６３】
本実施形態によれば、医用アプロケーションサーバを用いた画像診断において、診断ワークフローに沿った簡易画像が転送され、またユーザ操作入力情報に対応して簡易画像がクライアント端末に保存できる。このため、クライアント端末がスタンドアローンな状態においても、特別なアプリケーションを必要とせずに簡易画像を用いて画像診断が行える。
【００６４】
しかも、ネットワーク接続が復帰した際には、オフライン時に行った簡易診断情報が医用アプリケーションサーバ側に転送されるため、転送された簡易診断情報をレポート作成に活用が可能である。
【００６５】
これにより、訪問診療や学会などの外出先においても容易に画像診断を行えるため診断時間の効率化が達成される。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１１、１１Ａ、１１Ｂ、１１Ｋ…医用画像撮像装置、
１２…医用画像サーバ、
１３…病院内情報システム、
１４…ネットワーク、
１５、１５Ａ、１５Ｂ、１５Ｎ…クライアント端末、
１５１…操作部、
１５２…アプリケーション画面取得部、
１５３…表示部、
１５４…簡易画像取得部、
１５５…簡易診断ＤＢ（データベース）、
１６…医用アプリケーションサーバ、
１６１…医用画像ＤＢ（データベース）、
１６２…アプリケーション実行部、
１６３…簡易画像保存判断部、
１６４…簡易画像転送部。
【図１】
2013176511.tif 000003
【図２】
2013176511.tif 000004
【図３】
2013176511.tif 000005
【図４】
2013176511.tif 000006
【図５】
2013176511.tif 000007
【図６】
2013176511.tif 000008
【図７】
2013176511.tif 000009
【図８】
2013176511.tif 000010
【図９】
2013176511.tif 000011
【図１０】
2013176511.tif 000012
【図１１】
2013176511.tif 000013
【図１２】
2013176511.tif 000014
【図１３】
2013176511.tif 000015